(57)【要約】【課題】穂先竿を構成する竿杆同士の継合部において、亀裂を防止すると共に、亀裂が生じても視認し難い継合構造を有する釣竿を提供する。【解決手段】本発明の釣竿は、中空の大径竿杆１２の穂先側に、小径竿杆１５を挿入固定した継合部１６を有する穂先竿１０を備えている。そして、小径竿杆１５から継合部１６の継ぎ目Ｐを超える位置に亘って糸条体２０を密接して巻回すると共に、密接して巻回される糸条体２０の凹凸状態が残るように樹脂を塗布して保護層２１を形成し、少なくとも継ぎ目Ｐ部分の保護層２１を露出させたことを特徴とする。【選択図】図３
2014007968.tif 000002
【特許請求の範囲】
【請求項１】
中空の大径竿杆の穂先側に、小径竿杆を挿入固定した継合部を有する穂先竿を備えた釣竿であって、
前記小径竿杆から前記継合部の継ぎ目を超える位置に亘って糸条体を密接して巻回すると共に、前記密接して巻回される糸条体の凹凸状態が残るように樹脂を塗布して保護層を形成し、少なくとも前記継ぎ目部分の前記保護層を露出させた穂先竿を有することを特徴とする釣竿。
【請求項２】
前記大径竿杆の穂先側端部に、前記保護層が形成された糸条体を介在させることなく、釣糸ガイドの脚部を載置して糸条体を巻回し、樹脂を塗布して前記釣糸ガイドを固定したことを特徴とする請求項１に記載の釣竿。
【請求項３】
前記大径竿杆の穂先側端部に、前記保護層が形成された糸条体を介在させた状態で釣糸ガイドの脚部を載置して糸条体を巻回し、樹脂を塗布して前記釣糸ガイドを固定したことを特徴とする請求項１に記載の釣竿。
【請求項４】
前記釣糸ガイドの脚部は、前記大径竿杆に挿入固定される小径竿杆の端部上に位置した状態で固定されていることを特徴とする請求項２又は３に記載の釣竿。
【請求項５】
前記小径竿杆の先端にトップガイドを挿入固定し、その端部まで前記糸条体を連続形成したことを特徴とする請求項１から４のいずれか１項に記載の釣竿。
【発明の詳細な説明】
【技術分野】
【０００１】
本発明は、穂先竿の竿杆同士の継合構造に特徴を有する釣竿に関する。
【背景技術】
【０００２】
従来、例えば、特許文献１に開示されているように、中実状の小径竿杆を中空状の大径竿杆に差し込んで穂先竿を構成することにより、軽量化、及び撓み性の向上を図った釣竿が知られている。このような穂先竿は、大撓みすることを想定しているため、両者の継合部分（表面の継ぎ目が存在する部分）に釣糸ガイドを装着して強度の向上を図ると共に、継ぎ目を見えなくして外観の向上を図ることが行われている。具体的には、中実状の小径竿杆と中空状の大径竿杆を継合し、この継ぎ目に下糸層となる糸条体を巻回し、この上に釣糸ガイドの脚部を載置し、さらにこの上から上糸層となる糸条体を巻回し、合成樹脂を塗布することで、継ぎ目を釣糸ガイドで見えなくして補強した継合構造としている。
【０００３】
また、例えば、特許文献２には、小径竿杆と大径竿杆を継合し、小径竿杆の外周面から大径竿杆の表面段差部に達する位置まで締付糸を巻き付け、巻き付けた締付糸を覆うように樹脂塗料を塗布して巻き付け状態を保護し、さらに、研磨、樹脂塗装を施してガイド取付座面を形成し、この上から釣糸ガイドの脚部を載せて締付糸で固定した後、樹脂を塗布した穂先竿の継合構造が開示されている。
【先行技術文献】
【特許文献】
【０００４】
【特許文献１】特開２００１−６９８７８号
【特許文献２】特開２００７−２０９３０１号
【発明の概要】
【発明が解決しようとする課題】
【０００５】
上記した穂先竿の継合構造によれば、いずれも応力集中し易い小径竿杆と大径竿杆の継部に釣糸ガイドの脚部を載置し、更に、脚部の固定保護に糸条体を巻回し、その後、糸条体を覆うように糸止め樹脂を塗布しているため、実際に釣竿が撓んだ際、糸止め樹脂に亀裂が入り易く、このような亀裂は、視認し易いことから、外観を損ねてしまう、という問題がある。
【０００６】
本発明は、上記した問題に着目してなされたものであり、穂先竿を構成する竿杆同士の継合部において、亀裂を防止すると共に、亀裂が生じても視認し難い継合構造を有する釣竿を提供することを目的とする。
【課題を解決するための手段】
【０００７】
上記した目的を達成するために、本発明に係る釣竿は、中空の大径竿杆の穂先側に、小径竿杆を挿入固定した継合部を有する穂先竿を備えており、前記小径竿杆から前記継合部の継ぎ目を超える位置に亘って糸条体を密接して巻回すると共に、前記密接して巻回される糸条体の凹凸状態が残るように樹脂を塗布して保護層を形成し、少なくとも前記継ぎ目部分の前記保護層を露出させた穂先竿を有することを特徴とする。
【０００８】
上記した構成の釣竿では、穂先竿を構成する中空状の大径竿杆と、これに挿入固定される小径竿杆との継合部領域に、糸条体が密接して巻回されると共に、糸条体の凹凸状態が残るように樹脂を塗布した保護層が形成される。そして、この保護層は、継ぎ目の部分が露出するように形成されており、この部分に釣糸ガイドを取着しないことから、最も応力集中し易い部分に、釣糸ガイドの脚部を安定して固定する樹脂の肉厚部分が存在することはない。このため、穂先竿が大撓みした際に、通常、樹脂の肉厚部分で生じ易い亀裂が生じることはなく、外観を損ねるようなことはない。また、たとえ継ぎ目部分で亀裂が生じても、糸条体の凹凸状態が残るように樹脂を塗布しているので、亀裂そのものが目立ち難くなる。
【発明の効果】
【０００９】
本発明によれば、穂先竿を構成する竿杆同士の継合部において、亀裂を防止すると共に、亀裂が生じても視認し難い継合構造を有する釣竿が得られる。
【図面の簡単な説明】
【００１０】
【図１】本発明に係る釣竿の一実施形態を示す図。
【図２】図１に示す釣竿の穂先竿部分を示す図。
【図３】穂先竿を構成する大径竿杆と小径竿杆の継合部分を示す図。
【図４】図３の主要部の拡大図。
【図５】本発明の変形例を示す図であり、穂先竿を構成する大径竿杆と小径竿杆の継合部分を示す図。
【発明を実施するための形態】
【００１１】
以下、本発明に係る釣竿の実施形態について、添付図面を参照しながら具体的に説明する。
図１から図４は、本発明に係る釣竿の一実施形態を示す図であり、図１は全体構成を示す図、図２は図１に示す釣竿の穂先竿部分を示す図、図３は穂先竿を構成する大径竿杆と小径竿杆の継合部分を示す図、そして、図４は図３の主要部の拡大図である。
【００１２】
本実施形態の釣竿１は、元竿３、中竿５、及び穂先竿１０を備えており、各竿は、並継ぎ式によって継合されている。また、本実施形態の釣竿１には、元竿３にリールシート４が設けられており、前記元竿３、中竿５及び穂先竿１０には、リールシート４に装着されるリールＲから繰り出される釣糸を案内する釣糸ガイドが適所に取着されている。図１では、元竿３に設けられる釣糸ガイドを７Ａで示し、中竿５に設けられる釣糸ガイドを７Ｂで示し、穂先竿１０に設けられる釣糸ガイドを７，７Ｃで示してある。また、穂先竿１０の先端には、トップガイド８が取着されている。この場合、各釣糸ガイド，及びトップガイドは、竿杆の外周面に糸巻き、接着等によって取着されているが、一部に、軸方向に移動して固定されるタイプ（遊動ガイド）を用いても良い。
【００１３】
図１に示す釣竿１は、並継ぎ式として構成されるが、各竿の継合構造は、振出方式、逆並継方式、インロー方式であっても良い。また、中竿５は複数本（２本以上）あっても良いし、無くても良い。また、全体として１本竿で構成されていても良い。
【００１４】
前記元竿３及び中竿５は、好ましくは、繊維強化樹脂製の管状体で構成されており、例えば、強化繊維（主に炭素繊維やガラス繊維等）に、エポキシ樹脂等の合成樹脂を含浸した繊維強化樹脂プリプレグ（プリプレグシート）を芯金に巻回し、加熱工程を経た後、脱芯する等、定法に従って所定寸法の管状に形成されている。
【００１５】
また、前記穂先竿１０は、中空の大径竿杆１２と、この大径竿杆１２に挿入固定される小径竿杆１５によって構成されている。この場合、大径竿杆１２は、上記した元竿３や中竿５と同様、プリプレグシートを芯金に巻回し、加熱工程を経た後、脱芯する等、定法に従って所定寸法の管状体に形成されている。また、小径竿杆１５は、中実状の芯材として構成されており、後述するように、基端側を大径竿杆１２の先端開口１２ａに挿入し、接着剤等によって継合固定されている。
【００１６】
本実施形態の小径竿杆１５は、中実状に構成されており、穂先竿として撓み性を向上させている。具体的には、撓み性が良好な素材、例えば、超弾性合金線材（Ｎｉ−Ｔｉ合金やＦｅ−Ａｌ合金等の金属材料）や、超弾性樹脂材料（ポリフェニールサルサン（ＰＰＳＵ））等によって形成され、必要に応じて、その外層には、プリプレグシートを巻回しても良い。或いは、上記した材料以外にも、炭素繊維等を長手方向に指向させ、これにエポキシ樹脂等の合成樹脂を含浸して形成される繊維強化樹脂材料によって形成されていても良い。
【００１７】
上記のように構成される小径竿杆１５は、継合部分から先（穂先側）が次第に小径化されていても良いし、ストレート状に延出していても良い。或いは、小径化するテーパとストレート部が組み合わされていても良い。また、小径竿杆１５の基端側には、元竿側に向けて次第に小径化するテーパ部１５Ａと、テーパ部１５Ａの端部から元竿側に向けてストレート状に延出するストレート部１５Ｂが形成されており、大径竿杆１２との間で継合部１６を構成している。
【００１８】
一方、前記大径竿杆１２の内面には、前記先端開口１２ａから元竿側に向けて次第に縮径するテーパ部１２Ａと、テーパ部１２Ａの端部から元竿側に向けてストレートに伸びる貫通孔１２Ｂが形成されており、小径竿杆１５との間で継合部１６を構成している。そして、前記小径竿杆１５を大径竿杆１２の先端開口１２ａに挿入すると、小径竿杆１５のテーパ部１５Ａ及びストレート部１５Ｂが、大径竿杆１２のテーパ部１２Ａ及び貫通孔１２Ｂと面接し、嵌入状態となる。この場合、小径竿杆１５を大径竿杆１２に挿入する際には、面接部分に接着剤が塗布され、これにより小径竿杆１５は大径竿杆１２に挿入固定される。
図３において、大径竿杆１２の先端開口１２ａから、小径竿杆１５の先端部１５ａまでの軸方向長さＷが、挿入固定時の重合範囲（重合部）となる。
【００１９】
上記したように、小径竿杆１５を大径竿杆１２に挿入固定すると、大径竿杆の先端開口１２ａの端縁１２ｂと小径竿杆１５の表面との間には、段差が生じる。この段差については、図３に示すように、樹脂１７等を埋めてなだらかな移行面（テーパ状）にしたり、或いは、大径竿杆の先端開口領域を同様なテーパ状にして、段差が生じないようにしておいても良い。或いは、後述する第２実施形態のように、テーパ状にすることなく、そのまま段差部として構成しても良い（図５参照）。
なお、小径竿杆１５と大径竿杆１２との間の継合部となる継ぎ目Ｐについては、大径竿杆に小径竿杆を挿入固定した際、大径竿杆１２の先端開口１２ａ（端縁１２ｂ）の部分となり、この部分が、穂先竿１０が大きく撓んだ際、応力集中する部分となる。
【００２０】
前記小径竿杆１５と大径竿杆１２との継合部には、小径竿杆から継ぎ目Ｐを超える位置に亘って糸条体２０が密接して巻回される。この糸条体２０は、断面が略円形状（円、楕円に加え、六角形のような多面状も含む）のものを軸方向に沿って密接するように巻回される。このため、巻回後の糸条体２０の表面には、前記略円形の断面形状によって、軸方向に連続的な凹凸２０ａが形成された状態となっている。
【００２１】
そして、密接して巻回される糸条体２０に対しては、巻回後、その凹凸２０ａの状態が残るように、保護層２１となる樹脂が塗布される。この保護層２１となる樹脂は、糸止め状態を安定化すると共に、耐衝撃性を向上するために塗布され、たとえ亀裂が生じても視認し難いように、保護層そのものが薄肉厚化（凹凸状態が残るように）するように塗布される。
【００２２】
また、この保護層２１に用いられる樹脂については、ウレタン樹脂系やエポキシ樹脂系のものが用いられ、透明であっても良いし、視認性の向上を図るように着色されたものであっても良い。また、このような保護層２１については、糸条体２０の表面に、凹凸高さが残る程度に薄膜状に形成されていても良いし、糸条体２０の内部に浸透して表面に膜が生じないようにしても良い。
【００２３】
上記したように巻回される糸条体２０は、少なくとも前記継ぎ目Ｐ部分の保護層２１が露出した状態となっている。すなわち、従来では、上記したような継合部（継ぎ目）部分に釣糸ガイドを装着して、継ぎ目部分の強度を向上することが行われていたが、本発明では、継ぎ目Ｐとなる位置に釣糸ガイドを装着せず露出させている。
【００２４】
具体的に、本実施形態では、前記糸条体２０を、小径竿杆から前記テーパ部１２Ａ，１５Ａの領域まで巻回しており、釣糸ガイド７は、その脚部７ａが巻回された糸条体２０に載らないようにして（脚部７ａを直接、大径竿杆１２の表面に載置し、糸条体２０を介在させない）、大径竿杆１２の穂先側端部に固定されている。なお、穂先竿１０には、更に、釣糸ガイドが装着されていても良く、図１及び図２に示すように、釣糸ガイド７よりも穂先側に２個、釣糸ガイド７よりも元竿側に１個の釣糸ガイド７Ｃが装着されている。
【００２５】
前記釣糸ガイド７は、脚部７ａを載置した状態で糸条体３０を巻回し、その上から樹脂（透明であっても着色されていても良い）を塗布して保護層３１を形成して、大径竿杆上に固定されている。この場合、保護層３１についても、前記糸条体２０に被着される保護層２１と同様、糸条体３０の表面の凹凸が残るように樹脂を塗布して形成しても良い。このように構成することで、脚部７ａ部分で亀裂が入っても、目立たなくすることができ、外観を向上することが可能となる。
【００２６】
また、図３に示すように、釣糸ガイド７の脚部７ａは、大径竿杆１２に挿入固定される小径竿杆１５の端部１５ａ上に位置した態で固定するのが好ましい。すなわち、挿入固定される小径竿杆１５の端部１５ａが、固定される釣糸ガイドの脚部７ａの取り付け長さＬの範囲内となるように釣糸ガイド７を固定することが好ましい。
【００２７】
上記したように構成される穂先竿１０を備えた釣竿１によれば、穂先竿を大きく撓ませることができ、撓みが生じた際、応力が集中し易い継合部、特に、継ぎ目Ｐの部分に、釣糸ガイドを装着して肉厚部を形成していないことから、亀裂が生じて外観を損ねるようなことはない。すなわち、穂先竿が撓んだ際、最も応力集中し易い部分に、樹脂の肉厚部分が存在していないため、樹脂の肉厚部分で生じ易い亀裂が生じることはなく、外観を損ねるようなことはない。また、たとえ継ぎ目部分で亀裂が生じても、糸条体２０の凹凸状態が残るように樹脂を塗布して保護層２１を形成しているため、亀裂そのものが目立ち難くなる。
【００２８】
また、本実施形態では、図３に示すように、大径竿杆１２の部分で、前記糸条体２０を介在させることなく釣糸ガイド７の脚部７ａを固定しているため、釣糸ガイドの脚部の固定位置が大径化することなく、前後の釣糸ガイドとの間、特に、それよりも前方側に位置する釣糸ガイド７Ｃ（図２参照）との間でバランスが取りやすくなる。
【００２９】
また、本実施形態では、装着固定される釣糸ガイド７の脚部７ａの取り付け長さＬの範囲内に、挿入固定される小径竿杆１５の端部１５ａを位置させているため、穂先竿が大きく撓んで、端部１５ａから大きなこじれる力が大径竿杆１２の内面に作用しても、この領域は、装着固定される釣糸ガイドの脚部によって補強されているため、亀裂等が発生し難く、継合部端部の強度補強をすることができる。
【００３０】
さらに、上記した構成において、糸条体２０については、図２に示すように、小径竿杆１５の先端に挿入固定されるトップガイド８の挿入固定部の端部位置８ａまで連続形成しておくことが好ましい。
【００３１】
このように、小径竿杆１５の全長に亘って糸条体２０を巻回し、その表面に上記した態様で保護層２１を塗布しておくことで、穂先竿が大きく撓んだ際の亀裂を効果的に防止できると共に、亀裂が生じても、それを視認し難くすることができる。
【００３２】
図５は、上記した実施形態の変形例を示す図であり、穂先竿を構成する大径竿杆と小径竿杆の継合部分を示す図である。
この変形例では、糸条体２０を、大径竿杆１２の後端に至るまで巻回すると共に、小径竿杆１５と大径竿杆１２との段差部分にテーパを設けることなく、そのままの状態としている。また、釣糸ガイド７の脚部７ａは、保護層２１が被着された糸条体２０を介在させて大径竿杆１２に固定している。
このように、小径竿杆１５と大径竿杆１２の継合部における継ぎ目Ｐ部分の保護層２１が露出した状態となっていれば、糸条体２０の巻回範囲、及び、両竿杆の継合構造については、適宜、変形することが可能である。
【００３３】
以上、本発明の実施形態について説明したが、本発明は、上記した実施形態に限定されることはなく、種々変形することが可能である。
【００３４】
本発明は、釣竿の穂先竿部分が、上記したように、中空状の大径竿杆と、これに挿入固定される小径竿杆で構成され、かつ、その継合部における継ぎ目部分で、巻回される糸条体２０の保護層２１が露出した状態になっていれば、その他の構成については、図に示した構成に限定されることはない。また、穂先竿１０を構成する小径竿杆１５については、中実状に構成されていたが、管状体として構成されていても良い。
【符号の説明】
【００３５】
１  釣竿
３  元竿
５  中竿
７，７Ａ，７Ｂ，７Ｃ  釣糸ガイド
８  トップガイド
１０  穂先竿
１２  大径竿杆
１５  小径竿杆
１６  継合部
２０  糸条体
２１  補強層
Ｐ  継ぎ目
【図１】
2014007968.tif 000003
【図２】
2014007968.tif 000004
【図３】
2014007968.tif 000005
【図４】
2014007968.tif 000006
【図５】
2014007968.tif 000007